(57)【要約】【課題】例えば、音楽再生機能付の携帯電話等のポータブル音楽再生装置の更なる使い勝手を向上させること。【解決手段】音楽再生機能付の携帯電話とイヤホン９とをコード１２を介して接続し、その音楽再生機能付の携帯電話からコード１２が引き出されたこと（イヤホン９を引き出す）に基づいて音楽再生モードに切り替えて音楽再生機能画面を表示部５に表示する。これと同時に、自動再生曲設定部１１に音楽データが記録されている場合に自動的に音楽再生を開始する。【選択図】図１
2008017267.tif 000002
【特許請求の範囲】
【請求項１】
持ち運び可能なポータブル音楽再生装置本体とイヤホンとがコードを介して接続されると共に、該コードが前記ポータブル音楽再生装置本体内に収納可能に、かつ、前記イヤホンが前記ポータブル音楽再生装置本体に着脱可能に構成された音楽再生装置であって、
前記ポータブル音楽再生装置本体から前記コードが引き出されたことに基づいて音楽再生モードに切り替えるモード切替手段を備えたことを特徴とする音楽再生装置。
【請求項２】
前記ポータブル音楽再生装置本体内に音楽データを記録させるメモリ部を備え、
前記モード切替手段は、前記メモリ部に音楽データが記録されている場合に、前記ポータブル音楽再生装置本体から前記コードが引き出されたと同時に音楽再生を開始させることを特徴とする請求項１記載の音楽再生装置。
【請求項３】
前記モード切替手段は、前記メモリ部に音楽データが複数記録されている場合に、前記ポータブル音楽再生装置本体から前記コードが引き出されたと同時に、予め設定された優先順位に基づいて音楽再生を開始させることを特徴とする請求項２記載の音楽再生装置。
【請求項４】
前記モード切替手段は、前記ポータブル音楽再生装置本体内に前記コードが収納されたと同時に音楽再生を停止させることを特徴とする請求項１〜３の何れか記載の音楽再生装置。
【請求項５】
前記ポータブル音楽再生装置本体は、画像表示部を備え、
前記音楽再生モードに切り替わった際に、前記画像表示部に音楽再生機能画面を表示させる表示駆動手段を備えていることを特徴とする請求項１〜４の何れかに記載の音楽再生装置。
【請求項６】
前記ポータブル音楽再生装置本体内に設けられ、引き出されたコードを巻き戻させるコード収納部と、
前記コード収納部に設けられ、または、前記コード収納部近傍に設けられ、前記コードの伸長状態を検出してその検出情報を前記モード切替手段に送信させるコード状態検出部とを備えていることを特徴とする請求項１〜５の何れかに記載の音楽再生装置。
【請求項７】
前記ポータブル音楽再生装置本体は、携帯電話であることを特徴とする請求項１〜６の何れか記載の音楽再生装置。
【請求項８】
持ち運び可能なポータブル音楽再生装置本体とイヤホンとがコードを介して接続されると共に、該コードが前記ポータブル音楽再生装置本体内に収納可能に、かつ、前記イヤホンが前記ポータブル音楽再生装置本体に着脱可能に構成された音楽再生装置における音楽再生方法であって、
前記ポータブル音楽再生装置本体から前記コードが引き出されたことに基づいて音楽再生を開始することを特徴とする音楽再生方法。
【請求項９】
前記ポータブル音楽再生装置本体に音楽データが複数記録されている場合に、前記ポータブル音楽再生装置本体から前記コードが引き出されたと同時に、予め設定された優先順位に基づいて音楽再生を開始することを特徴とする請求項８記載の音楽再生方法。
【請求項１０】
前記ポータブル音楽再生装置本体に前記コードが収納されたと同時に音楽再生を停止することを特徴とする請求項８または９記載の音楽再生方法。
【請求項１１】
持ち運び可能なポータブル音楽再生装置本体とイヤホンとがコードを介して接続されると共に、該コードが前記ポータブル音楽再生装置本体内に収納可能に、かつ、前記イヤホンが前記ポータブル音楽再生装置本体に着脱可能に構成された音楽再生装置における音楽再生制御プログラムであって、
前記ポータブル音楽再生装置本体から前記コードが引き出されたことに基づいて音楽再生モードに切り替えるモード切替手段を備え、
前記モード切替手段を、当該音楽再生装置が実行可能なことを特徴とする音楽再生制御プログラム。
【請求項１２】
前記モード切替手段は、音楽データを記録させるメモリ部に音楽データが記録されている場合に、前記ポータブル音楽再生装置本体から前記コードが引き出されたと同時に音楽再生を開始させることを特徴とする請求項１１記載の音楽再生制御プログラム。
【請求項１３】
前記モード切替手段は、前記メモリ部に音楽データが複数記録されている場合に、前記ポータブル音楽再生装置本体から前記コードが引き出されたと同時に、予め設定された優先順位に基づいて音楽再生を開始させることを特徴とする請求項１２記載の音楽再生制御プログラム。
【請求項１４】
前記モード切替手段は、前記ポータブル音楽再生装置本体内に前記コードが収納されたと同時に音楽再生を停止させることを特徴とする請求項１１〜１３の何れか記載の音楽再生制御プログラム。
【請求項１５】
前記音楽再生モードに切り替わった際に、前記ポータブル音楽再生装置本体に設けた画像表示部に音楽再生機能画面を表示させる表示駆動手段を備え、
前記表示駆動手段を、当該音楽再生装置が実行可能なことを特徴とする請求項１１〜１４の何れかに記載の音楽再生制御プログラム。
【発明の詳細な説明】
【技術分野】
【０００１】
本発明は、音楽再生装置、音楽再生方法、音楽再生制御プログラムに関する。
【背景技術】
【０００２】
持ち運び可能なポータブル音楽再生装置として、ポータブルＭＤ、ＣＤ、メモリプレーヤー等の携帯音楽プレーヤーや、音楽再生機能の備えた携帯電話が挙げられる。
このようなポータブル音楽再生装置は、装置本体にヘッドフォン端子を設け、必要なときにそのヘッドフォン端子にヘッドフォン（側の端子）を差し込んで接続し、例えば、装置本体側の操作により、音楽再生を行っている。
特に、後者に挙げた音楽再生機能付の携帯電話は、極めて利便性に富んでいるが、さらなる使い勝手を向上させるとの技術課題の下、以下のような携帯電話が提案されている。
【０００３】
この携帯電話は、ヘッドフォンが接続端子に接続されているかどうかを検出して、ヘッドフォンが接続されているときには、ＣＰＵにその旨の信号を出力し、ＣＰＵの制御によって、音楽再生モードに遷移し、ヘッドフォンが接続されていないときには、接続端子はＣＰＵにその旨の信号を出力し、ＣＰＵの制御によって、携帯電話モードに遷移するようになっている（例えば特許文献１参照）。
【０００４】
また、他の例として、ヘッドホンがヘッドホン接続手段（出力端子に着脱するためのコネクタ）に接続されているか否かを識別するヘッドホン接続識別手段を有し、音楽再生中にヘッドホンがヘッドホン接続手段から取り外されたことを検出した場合、その音楽再生を自動停止するようになっている（例えば特許文献２参照）。
【０００５】
【特許文献１】特開２００１−２４５０２６公報（第１頁、図１）
【特許文献２】特開２００３−２３４７９公報（第１頁、図１）
【発明の開示】
【発明が解決しようとする課題】
【０００６】
しかしながら、上記した何れの携帯電話を含めたポータブル音楽再生装置には以下のような問題点があった。
すなわち、上記した何れの携帯電話等は、前記したように、本体側にヘッドフォン端子を設け、必要なときにそのヘッドフォン端子にヘッドフォン（側の端子）を差し込んで接続し、例えば、本体側の操作により音楽再生等を行っている。そのため、音楽再生するには時間と手間がかかるという問題点があった。
【０００７】
特に、大勢の人が入り乱れた場所、たとえばバス内や電車内で音楽を楽しみたいときに、ヘッドフォン端子にヘッドフォンを差し込む動作や、音楽再生を行う動作が、他の乗客の迷惑になりやすかった。
【０００８】
そこで本発明は、このような状況に鑑みてなされたものであり、さらなる使い勝手を向上させた音楽再生装置、音楽再生方法、音楽再生制御プログラムを提供することを目的とする。
【課題を解決するための手段】
【０００９】
上記技術課題を達成するために、本発明にかかる音楽再生装置、音楽再生方法、音楽再生制御プログラムは、下記の技術的手段を講じた。
すなわち、請求項１にかかる音楽再生装置は、持ち運び可能なポータブル音楽再生装置本体とイヤホンとがコードを介して接続されると共に、該コードが前記ポータブル音楽再生装置本体内に収納可能に、かつ、前記イヤホンが前記ポータブル音楽再生装置本体に着脱可能に構成された音楽再生装置であって、前記ポータブル音楽再生装置本体から前記コードが引き出されたことに基づいて音楽再生モードに切り替えるモード切替手段を備えたことを特徴とする。
請求項２にかかる音楽再生装置は、請求項１において、前記ポータブル音楽再生装置本体内に音楽データを記録させるメモリ部を備え、前記モード切替手段は、前記メモリ部に音楽データが記録されている場合に、前記ポータブル音楽再生装置本体から前記コードが引き出されたと同時に音楽再生を開始させることを特徴とする。
請求項３にかかる音楽再生装置は、請求項２において、前記モード切替手段は、前記メモリ部に音楽データが複数記録されている場合に、前記ポータブル音楽再生装置本体から前記コードが引き出されたと同時に、予め設定された優先順位に基づいて音楽再生を開始させることを特徴とする。
請求項４にかかる音楽再生装置は、請求項１〜３の何れかにおいて、前記モード切替手段は、前記ポータブル音楽再生装置本体内に前記コードが収納されたと同時に音楽再生を停止させることを特徴とする。
請求項５にかかる音楽再生装置は、請求項１〜４の何れかにおいて、前記ポータブル音楽再生装置本体は、画像表示部を備え、前記音楽再生モードに切り替わった際に、前記画像表示部に音楽再生機能画面を表示させる表示駆動手段を備えていることを特徴とする。
請求項６にかかる音楽再生装置は、請求項１〜５の何れかにおいて、前記ポータブル音楽再生装置本体内に設けられ、引き出されたコードを巻き戻させるコード収納部と、前記コード収納部に設けられ、または、前記コード収納部近傍に設けられ、前記コードの伸長状態を検出してその検出情報を前記モード切替手段に送信させるコード状態検出部とを備えていることを特徴とする。
請求項７にかかる音楽再生装置は、請求項１〜６の何れかにおいて、前記ポータブル音楽再生装置本体は、携帯電話であることを特徴とする。
請求項８にかかる音楽再生方法は、持ち運び可能なポータブル音楽再生装置本体とイヤホンとがコードを介して接続されると共に、該コードが前記ポータブル音楽再生装置本体内に収納可能に、かつ、前記イヤホンが前記ポータブル音楽再生装置本体に着脱可能に構成された音楽再生装置における音楽再生方法であって、前記ポータブル音楽再生装置本体から前記コードが引き出されたことに基づいて音楽再生を開始することを特徴とする。
請求項９にかかる音楽再生方法は、請求項８において、前記ポータブル音楽再生装置本体に音楽データが複数記録されている場合に、前記ポータブル音楽再生装置本体から前記コードが引き出されたと同時に、予め設定された優先順位に基づいて音楽再生を開始することを特徴とする。
請求項１０にかかる音楽再生方法は、請求項８または９において、前記ポータブル音楽再生装置本体に前記コードが収納されたと同時に音楽再生を停止することを特徴とする。
請求項１１にかかる音楽再生制御プログラムは、持ち運び可能なポータブル音楽再生装置本体とイヤホンとがコードを介して接続されると共に、該コードが前記ポータブル音楽再生装置本体内に収納可能に、かつ、前記イヤホンが前記ポータブル音楽再生装置本体に着脱可能に構成された音楽再生装置における音楽再生制御プログラムであって、前記ポータブル音楽再生装置本体から前記コードが引き出されたことに基づいて音楽再生モードに切り替えるモード切替手段を備え、前記モード切替手段を、当該音楽再生装置が実行可能なことを特徴とする。
請求項１２にかかる音楽再生制御プログラムは、請求項１１において、前記モード切替手段は、音楽データを記録させるメモリ部に音楽データが記録されている場合に、前記ポータブル音楽再生装置本体から前記コードが引き出されたと同時に音楽再生を開始させることを特徴とする。
請求項１３にかかる音楽再生制御プログラムは、請求項１２において、前記モード切替手段は、前記メモリ部に音楽データが複数記録されている場合に、前記ポータブル音楽再生装置本体から前記コードが引き出されたと同時に、予め設定された優先順位に基づいて音楽再生を開始させることを特徴とする。
請求項１４にかかる音楽再生制御プログラムは、請求項１１〜１３の何れかにおいて、前記モード切替手段は、前記ポータブル音楽再生装置本体内に前記コードが収納されたと同時に音楽再生を停止させることを特徴とする。
請求項１５にかかる音楽再生制御プログラムは、請求項１１〜１４の何れかにおいて、前記音楽再生モードに切り替わった際に、前記ポータブル音楽再生装置本体に設けた画像表示部に音楽再生機能画面を表示させる表示駆動手段を備え、前記表示駆動手段を、当該音楽再生装置が実行可能なことを特徴とする。
【発明の効果】
【００１０】
本発明によれば、持ち運び可能なポータブル音楽再生装置本体とイヤホンとをコードを介して接続しているため、ユーザーがイヤホンとポータブル音楽再生装置本体との接続を行う必要がなく、しかも、モード切替手段がポータブル音楽再生装置本体からコードが引き出されたことに基づいて音楽再生モードに切り替えるから、音楽再生機能起動など時間や手間が生じず、したがって、さらなる使い勝手を向上させた音楽再生装置が提供できる。
【００１１】
また、ポータブル音楽再生装置とコードを介して接続されたイヤホン（なお、このイヤホンとは所謂ヘッドホンタイプも含むものとする）が、ポータブル音楽再生装置本体内に収納可能になっていることから、持ち運びの際、さらに利便性を向上させることができる。
また、イヤホンを引き出すだけで、音楽再生機能画面に切り替わり、メモリ部に音楽データが記録されている場合に自動的に音楽再生するから、手軽に音楽を聴くことができる。特に、大勢の人が入り乱れた場所、たとえばバス内や電車内で音楽を楽しみたいときに、イヤホン端子にイヤホンを差し込む動作や音楽再生を行う動作が必要としないので、手軽に音楽を聴くことができる。
【発明を実施するための最良の形態】
【００１２】
次に、本発明にかかる実施の形態を、図面を参照しながら説明する。
本実施の形態にかかる音楽再生装置は、その音楽再生装置の一構成部であるポータブル音楽再生装置本体を携帯電話Ａとしたものを例示している。すなわち、本実施の形態にかかる音楽再生装置は、携帯電話Ａとイヤホン９とがコード１２を介して接続され、そのコード１２が携帯電話Ａ内に収納可能に、かつ、イヤホン９が携帯電話Ａに着脱可能に構成された外観形状をなしている。
【００１３】
まず、図１のシステム構成図を参照しながら説明する。
携帯電話Ａは、外部に向かって伸縮可能に筐体に接続された送受信アンテナ１と、その送受信アンテナ１と接続され無線電話信号を送受信させる送受信部２と、その送受信部２と接続され電話機能やインターネット機能、メール機能、本発明の一要部である音楽再生機能を所定の制御プログラム（携帯電話Ａモードから音楽再生モードへ切り替えるモード切替手段を備える）でもって処理させる制御部３（処理手順は後述する）と、その制御部３と接続され後述する表示部５に各種の情報表示を行わせる表示駆動回路４と、筐体外面にユーザーが視認可能なように設けられ表示駆動回路４の制御信号に基づいて表示させる液晶パネルから成る表示部５と、筐体外面にユーザーが操作可能なように設けられると共に制御部３と接続され、テンキーや各種絵記号キーなどからなるキー操作部６と、制御部３と接続されコード１２の伸長状態を検出してその検出情報を制御部３に送信させるコード状態検出部７と、引き出されたコード１２を巻き戻させるコード収納部８と、制御部３と接続されアドレスや電話番号等の電話帳情報等を記録させるメモリ部１０と、そのメモリ部１０の記録領域の一部に割り当てられ、音楽データが記録されると共に、予め自動再生をする音楽を設定記録可能な自動再生曲設定部１１とを備えてなる。
【００１４】
さらに、本実施の形態にかかる音楽再生装置は、上記した携帯電話Ａと、一端がコード収納部８に機械的に接続されると共に制御部３で電気的に接続されたコード１２と、そのコード１２の他端側と接続されたイヤホン９とを備えてなる。
【００１５】
このイヤホン９は、音楽等を聴く際に用いる一般的な内部構造のものであるが、図２に示すように、携帯電話Ａの筐体右側面に嵌合凹部ａ１を設け、その嵌合凹部ａ１内に着脱可能に保持されるようになっている。この着脱部分は、特に限定はされないが、例えば、嵌合凹部ａ１の入り口部分に出没可能な係止突起を数箇所設け、イヤホン９を嵌合凹部ａ１に押し込むことで突起を引っ込め、押し切った状態で突起が突出するようにして、脱落を防止させて保持させても良いものである。
【００１６】
また、このイヤホン９は、嵌合凹部ａ１内に保持、すなわち収納された状態で携帯電話Ａの筐体側面から大きく突出しないように略面一となっており、そのイヤホン９の背部分には収納された状態から取り出しやすいようにリブ状またはボス状の把持部、または、スリット状の凹部（例えば爪などで引っ掛けて取り出す）が形成されている。なお、このイヤホン９は、モノラル再生専用の場合は図２に示すように一つであるが、ステレオ再生可能にする場合、当然のことながら、２つ一組となる（図５参照）。この場合も携帯電話Ａの筐体左側面に嵌合凹部ａ１を設けて左右のイヤホン９を夫々の嵌合凹部ａ１内に着脱可能に保持させる。
【００１７】
一方、このイヤホン９側と反対側となるコード１２の一端側には、そのコード１２と機械的に接続されたコード収納部８が設けられている。
このコード収納部８は、電気掃除機の電源コード１２を自動で巻き取るが如く、周知構造のリール機構部からなり、コード１２を引っ張った量だけ繰り出して停止し、また図示しない停止解除スイッチの押動操作により繰り出されたコード１２を巻き取るようになっている。なお、コード１２を引っ張りきるまで停止しないようにしても良い。また、上記した停止解除スイッチに替えて繰り出し停止状態のコード１２を僅かに引っ張ることで、停止状態が解除されて自動巻取りさせても良い。
【００１８】
コード状態検出部７は、上記したようにコード１２の伸長状態を検出してその検出情報を制御部３に送信させるもので、例えば、リール機構部の回動軸上にロータリースイッチを設け、そのロータリースイッチのスイッチングに基づいてコード１２の伸長状態を検出したり、あるいは、リール機構部の近傍に光センサを設け、一方、コード１２の一部に光センサ検出用の反射シールを貼付して、光センサのセンシングに基づいてコード１２の伸長状態を検出したりしても良く、その態様は特に限定されない。
【００１９】
次に、制御部３における一連の処理手順を図３のフローチャートを用いて説明する。
まず、嵌合凹部ａ１内に保持されたイヤホン９を取り出し、そのまま引き出す（Ｓ１）。
このイヤホン９引出し操作によってコード収納部８が作動する（Ｓ２）。
コード状態検出部７がコード１２の伸長状態を検出する（Ｓ３）。
コード状態検出部７で検出したコード１２の伸長状態（信号）を制御部３へ伝達する（Ｓ４）。
【００２０】
制御部３が再生機能（音楽再生モード）を呼び出す（Ｓ５）。なお、この再生機能を呼び出すきっかけとなるコード１２の伸長状態は、コード１２収納状態を再生機能呼び出しＯＦＦにして、少しでもコード１２が繰り出されたことにより、再生機能呼び出しＯＮにしたり、コード１２が繰り出され、かつ、所定時間を経過した後、再生機能呼び出しＯＮにしたり、あるいは、コード１２が最後まで繰り出されたことにより、再生機能呼び出しＯＮにするなど、特に限定はされない。
【００２１】
次いで、再生機能を呼び出したら、表示駆動回路４へその旨の信号を伝達する（Ｓ６）。
その旨の信号を受け取った表示駆動回路４は作動して（Ｓ７）、所定の音楽再生機能画面を表示部５に表示する（Ｓ８）。この音楽再生機能画面は、再生Ｎｏや曲名、演奏経過時間等の楽曲に関する情報や、再生、停止、前後のスキップ、ランダム再生、ボリューム、音色等の再生に関する情報（キー操作部６の夫々のキーに割り当てられて操作可能になっている）が表示される。
【００２２】
この音楽再生機能画面を表示部５に表示したら、音楽データが自動再生曲設定部１１に保存（記録）されているか否かを判断すると同時に、音楽データが複数記録されている場合に、予め設定された優先順位（再生順位）が設定されているかを判断する（Ｓ９）。
【００２３】
音楽データが自動再生曲設定部１１に保存（記録）されており、優先順位（再生順位）が設定されている場合（Ｓ９：ＹＥＳ）、音楽再生機能が起動（自動）して音声信号の出力を開始し（Ｓ１０）し、イヤホン９から音楽が流れて（Ｓ１１）一連の処理が終了する。
【００２４】
また、音楽データが自動再生曲設定部１１に保存（記録）されており、優先順位（再生順位）が設定されていない場合（Ｓ９：ＮＯ）、音楽再生機能画面と対応したキー操作部６の夫々のキーで手動による再生操作を行う（Ｓ１２）。なお、この手動操作の替わりに音楽再生機能が起動（自動）して音声信号の出力を開始しても良く、その場合、優先順位（再生順位）がないために、記録された順に再生したり、前回の音楽再生の際に行った再生モード、例えばランダム再生を行う。
【００２５】
また、Ｓ９において、音楽データ自体が自動再生曲設定部１１に保存（記録）されていない場合、音楽再生機能画面でその旨を表示する。
また、音楽再生の停止は、音楽再生機能画面の表示に基づきながらキー操作部６の夫々のキーを用いて行ったり、コード収納部８に引き出されたコード１２を携帯電話Ａ内に巻き戻させると同時に、再生中の音楽が停止する。そして、音楽再生機能画面の表示から携帯電話Ａの機能画面あるいは音楽再生機能画面へ移行する直前の画面に戻る。
【００２６】
次に、自動再生を行う音楽を設定する場合の一連の処理手順を図４のフローチャートを用いて説明する。
まず、自動再生を行わせる１曲目を、音楽再生機能画面の表示に基づきながらキー操作部６の夫々のキーを用いて設定する（Ｓ１３）。
制御部３は、その設定操作に応じて自動再生曲設定部１１に、その曲の情報を保存する（Ｓ１４）。
【００２７】
音楽再生機能画面に、２曲目を保存するか否かが表示され、２曲目を保存する場合（Ｓ１５：ＹＥＳ）、上記と同様の操作によって自動再生を行わせる２曲目を設定する（Ｓ１６）
。制御部３は、その設定の情報に応じて自動再生曲設定部１１に、その曲の情報を保存する（Ｓ１７）。
【００２８】
上記と同じ表示及び操作が行われ（Ｓ１８〜Ｓ２０）、一連の処理が終了する。なお、Ｓ１５においてＮＯ、すなわち、２曲目を保存しない場合も一連の処理が終了する。
なお、この自動再生を行わせるための設定は、音楽データをダウンロードしたりして、音楽データが予め自動再生曲設定部１１に記録されている場合である。
【００２９】
また、上記したように、音楽データが予め自動再生曲設定部１１に記録されていても、この優先順位（再生順位）の設定を行わない場合、手動操作で再生したり、記録された順に再生したり、前回の音楽再生の際に行った再生モード、例えばランダム再生を行わせても良いものである。
すなわち、嵌合凹部ａ１内に保持されたイヤホン９を取り出し、そのまま引き出すことで、音楽を再生する形態であれば何れでも良いものである。
【００３０】
このように、ポータブル音楽再生装置本体を携帯電話Ａとした本実施の形態にかかる音楽再生装置は、携帯電話Ａとイヤホン９とをコード１２を介して接続しているため、ユーザーがイヤホン９と携帯電話Ａとの接続を行う必要がなく、しかも、制御部３が携帯電話Ａからコード１２が引き出されたことに基づいて音楽再生モードに切り替えるから、音楽再生機能起動など時間や手間が生じず、したがって、さらなる使い勝手を向上させた携帯電話Ａになっている。
【００３１】
また、携帯電話Ａとコード１２を介して接続されたイヤホン９が、携帯電話Ａ内に収納可能になっていることから、持ち運びの際、コード１２やイヤホン９が邪魔にならず、利便性を向上させることができる。
【００３２】
また、イヤホン９を引き出すだけで、音楽再生機能画面に切り替わり、自動再生曲設定部１１に音楽データが記録されている場合に自動的に音楽再生し、コード収納部８にコード１２が収納されたと同時に音楽再生を停止するから、イヤホン９端子にイヤホン９を差し込む動作や取り外す動作、キー操作部６の夫々のキーを用いての音楽再生動作や停止動作等の煩わしい動作を行う必要がなく、したがって使い勝手を向上させつつ、手軽に音楽を楽しむことができる。
【００３３】
以上、本発明にかかる実施の形態を説明したが、上述した実施の形態は、本発明の好適な実施の形態の一例を示すものであり、本発明はそれに限定されるものではなく、その要旨を逸脱しない範囲内において、種々変形実施が可能である。
【００３４】
例えば、ポータブル音楽再生装置本体（携帯電話）からコードが引き出されたことに基づいて音楽再生を開始する音楽再生方法、音楽再生制御プログラムでも良い。この場合も、ポータブル音楽再生装置本体に音楽データが複数記録されている場合に、ポータブル音楽再生装置本体からコードが引き出されたと同時に、予め設定された優先順位に基づいて音楽再生を開始したり、ポータブル音楽再生装置本体にコードが収納されたと同時に音楽再生を停止させることが好適である。
【００３５】
さらに、本発明にかかる実施の形態は、携帯電話を例示しているが、持ち運び可能なポータブル音楽再生装置本体であれば、形態は特に限定されず、例えば、ポータブルＭＤ、ＣＤ、メモリプレーヤー等の携帯音楽プレーヤー等、何れも適用可能である。
【図面の簡単な説明】
【００３６】
【図１】本実施の形態にかかる音楽再生装置のシステム構成図である。
【図２】同、斜視図である。
【図３】同、制御部における一連の処理手順（音楽再生まで）のフローチャートである。
【図４】同、自動再生する音楽を設定する一連の処理手順のフローチャートである。
【図５】同、図２おける他の変形例を示す斜視図である。
【符号の説明】
【００３７】
Ａ  携帯電話
ａ１  嵌合凹部
１  送受信アンテナ
２  送受信部
３  制御部
４  表示駆動回路
５  表示部
６  キー操作部
７  コード状態検出部
８  コード収納部
９  イヤホン
１０  メモリ部
１１  自動再生曲設定部
１２  コード
【図１】
2008017267.tif 000003
【図２】
2008017267.tif 000004
【図３】
2008017267.tif 000005
【図４】
2008017267.tif 000006
【図５】
2008017267.tif 000007